(57)【要約】【課題】操作性良くカメラ機能の撮影モードの切り替えが可能となる撮影装置及び該撮影装置が設けられる携帯端末を提供する。【解決手段】撮影用レンズ２１ａと、撮影用レンズ２１ａを開放し又は覆うレンズカバー２３とを備えるカメラ部（撮影装置）２０であって、レンズカバー２３が撮影用レンズ２１ａに対して移動することに連動して、撮影モードを第１モードと、第２モードとを切り替える切替え装置を有するという構成を採用する。【選択図】図４
2009060269.tif 000002
【特許請求の範囲】
【請求項１】
撮影用レンズと、前記撮影用レンズを開放し又は覆うレンズカバーとを備える撮影装置であって、
前記レンズカバーが前記撮影用レンズに対して移動することに連動して、撮影モードを第１モードと、第２モードとに切り替える切替え装置を有することを特徴とする撮影装置。
【請求項２】
前記第１モードは、通常撮影モードであって、前記第２モードは、マクロ撮影モードであることを特徴とする請求項１に記載の撮影装置。
【請求項３】
被写体を照明する照明装置を備えており、
前記照明装置は、切り替えられた撮影モードに連動して、照度を調節することを特徴とする請求項１または２に記載の撮影装置。
【請求項４】
前記レンズカバーは、光の分布を調整する調整レンズを有しており、
前記第１モードで前記照明装置を開放し、前記第２モードで前記調整レンズにより前記照明装置を覆うことを特徴とする請求項３に記載の撮影装置。
【請求項５】
前記レンズカバーは、光を透過する透明部材から構成されることを特徴とする請求項４に記載の撮影装置。
【請求項６】
前記レンズカバーは、前記第１モード及び前記第２モードとは、異なる撮影に関する処理を行う位置に移動可能であることを特徴とする請求項１〜５のいずれか一項に記載の撮影装置。
【請求項７】
前記レンズカバーは、前記撮影用レンズに対して直線移動することを特徴とする請求項１〜６に記載の撮影装置。
【請求項８】
請求項１〜７のいずれか一項に記載の撮影装置が設けられることを特徴とする携帯端末。
【発明の詳細な説明】
【技術分野】
【０００１】
本発明は、撮影用レンズと、撮影用レンズを開放し又は覆うレンズカバーとを備える撮影装置及び該撮影装置が設けられる携帯端末に関するものである。
【背景技術】
【０００２】
近年、カメラ機能を備える携帯電話機やＰＨＳ（Personal Handy-phone System）端末等の携帯端末が広く普及している。そして、ユーザーは、携帯端末に備えられる当該カメラ機能を用いて、風景、動物や珍しい小物等を気軽に撮影することができるようになった。
【０００３】
また、当該カメラ機能は、撮影モードの設定を変更可能になっており、例えば、風景や人物等を撮影する場合は、通常の撮影モード（通常撮影モード）で撮影し、植物や小物等に近接して撮影する場合は、接写の撮影モード（マクロ撮影モード）で撮影することができるため、被写体に適した撮影モードで撮影を行うことができる構成となっている。
そして、従来、上記通常撮影モードとマクロ撮影モードとの切り替えは、携帯端末の筐体の側面に設けられたマクロレバーと称される操作部材を移動させることで行われていた（例えば、特許文献１参照）。
【特許文献１】特開２００７−９６７６３号公報
【発明の開示】
【発明が解決しようとする課題】
【０００４】
しかしながら、カメラ機能の撮影モードを切り替えるマクロレバーは、取り付けられる携帯端末が複数の機器を内包しているため、携帯端末に取り付け可能なスペースが限られており、当該スペースの制約を受けて、小型になってしまっていた。したがって、ユーザーが、撮影モードを切り替える場合、小さなマクロレバーを操作しなければならないため操作性が悪いという問題があった。
【０００５】
本発明は、上記問題点に鑑みてなされたものであり、操作性良く撮影モードの切り替えが可能となる撮影装置及び該撮影装置が設けられる携帯端末を提供することを目的としている。
【課題を解決するための手段】
【０００６】
上記の課題を解決するために、本発明では、撮影用レンズと、上記撮影用レンズを開放し又は覆うレンズカバーとを備える撮影装置であって、上記レンズカバーが上記撮影用レンズに対して移動することに連動して、撮影モードを第１モードと、第２モードとに切り替える切替え装置を有するという構成を採用する。
このような構成を採用することによって、本発明では、マクロレバーよりも大きなレンズカバーを操作することによって、カメラ機能の撮影モードの設定を容易に切り替えることができる。
【０００７】
また、本発明では、上記第１モードは、通常撮影モードであって、上記第２モードは、マクロ撮影モードであるという構成を採用する。
このような構成を採用することによって、本発明では、レンズカバーの移動によって、通常撮影モードと、マクロ撮影モードとを切り替えることができる。
【０００８】
また、本発明では、被写体を照明する照明装置を備えており、上記照明装置は、切り替えられた上記撮影モードに連動して、照度を調節するという構成を採用する。
このような構成を採用することによって、本発明では、切り替えられた撮影モードに適した照度で被写体を照らし、カメラ機能の撮影処理を補助することができる。
【０００９】
また、本発明では、上記レンズカバーは、光の分布を調整する調整レンズを有しており、上記第１モードで上記照明装置を開放し、上記第２モードで上記調整レンズにより上記照明装置を覆うという構成を採用する。
このような構成を採用することによって、本発明では、レンズカバーが第２モードで照明装置を覆うことで、レンズカバーに設けられたレンズで照明装置から照射される光を受けとり、そして当該光を集光または拡散させることで光の分布を調整し、第２モードに適した照度で被写体を照らすことができる。
【００１０】
また、本発明では、上記レンズカバーは、光を透過する透明部材から構成されるという構成を採用する。
このような構成を採用することによって、本発明では、レンズカバーの移動によって、照明装置の光をレンズカバーが遮ってしまうことを防止することができる。
【００１１】
また、本発明では、上記レンズカバーは、上記第１モード及び上記第２モードとは、異なる撮影に関する処理を行う位置に移動可能であるという構成を採用する。
このような構成を採用することによって、本発明では、レンズカバーの移動により、上記第１モード及び上記第２モードの切り替えだけでなく、別のカメラ機能撮影に関する処理を行うことができる。
【００１２】
また、本発明では、上記レンズカバーは、上記撮影用レンズに対して直線移動するという構成を採用する。
このような構成を採用することによって、本発明では、レンズカバーが直線移動することで、容易に操作することができる。
【００１３】
また、本発明では、上記構成の撮影装置が設けられる携帯端末を採用する。
このような構成を採用することによって、本発明では、上記撮影装置を備えた携帯端末が得られる。
【発明の効果】
【００１４】
本発明によれば、撮影用レンズと、上記撮影用レンズを開放し又は覆うレンズカバーとを備える携帯端末であって、上記レンズカバーが上記撮影用レンズに対して移動することに連動して、撮影モードを第１モードと、第２モードとを切り替える切替え装置を有するという構成を採用することによって、マクロレバーよりも大きなレンズカバーを操作することにより、カメラ機能の撮影モードの設定を容易に切り替えることができる。
したがって、本発明では、操作性良く撮影モードの切り替えが可能となる撮影装置を提供することができる効果がある。また、本発明では、レンズカバーと撮影モード切替えが兼用できるため、別途、マクロレバーを設ける必要は無くなり、撮影装置又は該撮影装置が設けられる携帯端末のスペースを有効に活用でき、且つ、コストダウンにも寄与できる効果がある。
【発明を実施するための最良の形態】
【００１５】
次に、本発明の実施形態を図面に基づいて説明する。なお、以下の説明においては、本発明の撮影装置をＰＨＳ端末（携帯端末）に適応した場合の例について説明するが、一般のカメラ（撮影装置）にも本発明は適用可能である。また、理解を容易にするために、以下の図面において部材の縮尺を適宜変更している。
【００１６】
始めに、図１を参照してＰＨＳ端末（携帯端末）Ａの外部の構成について説明する。
図１（ａ）は、本実施形態におけるＰＨＳ端末Ａの背面の外観を示す斜視図である。
図１（ｂ）は、本実施形態におけるＰＨＳ端末Ａの正面の外観を示す斜視図である。
図１（ａ）及び（ｂ）に示すように、ＰＨＳ端末Ａは、表示側本体１と操作側本体２とがヒンジ構造３によって連結された折りたたみ形式のものである。
なお、以下の説明において、ＰＨＳ端末Ａの操作側本体２の幅方向をＸ方向、該幅方向と直交する方向をＹ方向、操作側本体２の厚さ方向をＺ方向として説明することがある。
【００１７】
表示側本体１は、表示側筐体４と、表示側筐体４の正面に設けられる表示部５と、表示部５の上方に設けられる受話口６とを有する構成となっている。
【００１８】
表示側筐体４は、表示側本体１の外装を形成するものである。
表示部５は、例えば、液晶ディスプレイや、有機ＥＬ（electroluminescence）ディスプレイ等から形成されて所望の画像や文字等を表示するものであり、表示側筐体４の略中央部に設けられる。
受話口６は、表示部５の上方に形成され、表示側筐体４内に設けられた不図示のスピーカと外部とを連通する構成となっている。
【００１９】
操作側本体２は、操作側筐体７と、操作側筐体７の正面に設けられる操作部８と、操作部８の下方に設けられる送話口９と、操作側筐体７の背面に設けられる凹部１０と、凹部１０に設けられるカメラ部（撮影装置）２０とを有する構成となっている。
【００２０】
操作側筐体７は、操作側本体２の外装を形成するものである。
操作部８は、電源キー、テンキーや各種の機能キーから構成されており、ユーザーによる各種の操作指示を受け付ける構成となっている。
送話口９は、操作部８の下方に形成され、操作側筐体７内に設けられた不図示のマイクと連通する構成となっている。
【００２１】
凹部１０は、図１（ａ）に示すように、所定の深さの溝を有し、操作側筐体７の背面の上方であって、操作側筐体７の幅方向（Ｘ方向）に直線的に延在している。
【００２２】
カメラ部２０は、図１（ａ）に示すように、被写体を撮影するカメラ装置２１と、被写体を照明する照明装置２２と、カメラ装置２１の撮影用レンズ２１ａを開放し又は覆うレンズカバー２３とを有する構成となっている。
【００２３】
カメラ装置２１は、保護ガラスに覆われた撮影用レンズ２１ａが外部を向くように、凹部１０の−Ｘ方向側端部の底部に嵌合されており、ＣＣＤ（Charge Coupled Device）イメージセンサや、ＣＭＯＳ（Complementary Metal Oxide Semiconductor）イメージセンサ等を有し、通常撮影モード（第１モード）やマクロ撮影モード（第２モード）等の撮影モードの設定が可能なデジタルカメラから構成される。
【００２４】
照明装置２２は、カメラ装置２１に対して、凹部１０の＋Ｘ方向側端部の底部に嵌合され、ＬＥＤ（Light Emitting Diode）等の照明源を有し、通常撮影モード及びマクロ撮影モード時に後述する制御部１２によって照度を調節可能な構成となっている。
【００２５】
レンズカバー２３は、凹部１０に嵌合されて凹部１０の底部の縁に沿ってＸ方向に直線的にスライドして移動可能な構成となっている。また、レンズカバー２３は、光を透過する透明部材（例えば、アクリルやポリカーボネート等）から形成され、略中央部に光を集光させる集光レンズ（調整レンズ）２４を有する構成となっている。
【００２６】
続いて、図２を参照してＰＨＳ端末Ａの内部構成について説明する。
図２は、ＰＨＳ端末Ａの要部機能構成を示す機能ブロック図である。
ＰＨＳ端末Ａは、内部に、アンテナを有する通信部１１と、制御部１２とを有しており、通信部１１、操作部８、表示部５、カメラ装置２１及び照明装置２２が制御部１２に接続される構成となっている。
【００２７】
通信部１１は、制御部１２の制御の下に、不図示の基地局と各種の制御信号やデータ信号をアンテナを介して送受信すると共に、受信情報を制御部１２に出力する構成となっている。
【００２８】
制御部１２は、ＣＰＵ（Central Processing Unit）、ＲＯＭ（Read Only Memory）及びＲＡＭ（Random Access Memory）から構成される内部メモリ並びに上記通信部１１、操作部８、表示部５、カメラ装置２１及び照明装置２２と信号の入出力をそれぞれ行うインタフェース回路等から構成されており、上記ＲＯＭに記憶された制御プログラムに基づいてＰＨＳ端末Ａの全体動作を制御する。制御部１２は、例えば、操作部８から入力された信号を受け、表示部５に所定の画像を表示させたり、通信部１１にデータ送受信等の動作を開始させたりすることができる。
【００２９】
続いて、図３を参照して、操作側筐体７内のカメラ部２０の構造について詳しく説明する。
図３（ａ）は、図１（ａ）におけるＰＨＳ端末Ａの線視Ｋ−Ｋ断面図（照明装置２２は不図示）である。
図３（ｂ）は、図１（ａ）におけるＰＨＳ端末Ａの線視Ｌ−Ｌ断面図である。
【００３０】
図３（ａ）に示すように、カメラ装置２１には、通常撮影モードとマクロ撮影モードとに撮影モードの設定を切り替えるマクロスイッチ２１ｂがカメラ装置２１の側面であって、−Ｙ方向（図３（ａ）において紙面左方向）に突出して設けられている。なお、マクロスイッチ２１ｂは、図３（ｂ）に示すように、カメラ装置２１の側面にＸ方向に亘って設けられたスライド溝２１ｃに沿って、Ｘ方向にスライド可能であり、スライド溝２１ｃの一端側（図３（ｂ）において紙面左側）に位置して通常撮影モードに切り替える通常位置Ｍ１と、通常位置Ｍ１に対してスライド溝２１ｃの＋Ｘ方向側の他端側に位置してマクロ撮影モードに切り替えるマクロ位置Ｍ２との間を移動可能な構成となっている。
【００３１】
レンズカバー２３は、図３（ａ）に示すように、操作側筐体７の内部に貫通して、−Ｙ方向に突出するリブ２３ａを有しており、レンズカバー２３の移動に伴ってリブ２３ａがＸ方向に直線的に移動可能な構成となっている。
【００３２】
また、図３（ｂ）に示すように、操作側筐体７の内部には、レンズカバー２３の移動に連動してカメラ装置２１のマクロスイッチ２１ｂをスライドさせる連動レバー（切替え装置）３０が設けられている。なお、連動レバー３０は、図３（ａ）に示すように、マクロスイッチ２１ｂ及びリブ２３ａが設けられるＸ−Ｚ平面と略同一平面上に設けられている。
連動レバー３０は、マクロスイッチ２１ｂをＸ方向で挟持する挟持部３１ａ，３１ｂと、リブ２３ａのＸ方向移動経路上に設けられた爪部３２と、挟持部３１ａ，３１ｂ及び爪部３２を懸架する連結部材３３とを有する構成となっている。
【００３３】
連結部材３３は、挟持部３１ａ，３１ｂ及び爪部３２を懸架して、Ｘ方向に延在しており、リブ２３ａに対して下方（＋Ｚ方向）に設けられている。
【００３４】
挟持部３１ａ，３１ｂは、連結部材３３の一端側（図３（ｂ）において紙面左側）から＋Ｚ方向に突出し、それぞれＸ方向でマクロスイッチ２１ｂを挟んだ位置に設けられる。より詳しくは、挟持部３１ａがマクロスイッチ２１ｂに対して−Ｘ方向側に設けられ、挟持部３１ｂがマクロスイッチ２１ｂに対して＋Ｘ方向側に設けられており、マクロスイッチ２１ｂを左右（Ｘ方向）から挟持する構成となっている。
【００３５】
爪部３２は、挟持部３１ａ，３１ｂが設けられた一端側に対して、連結部材３３の他端に設けられている。また、爪部３２は、連結部材３３の端部から−Ｚ方向に突出してリブ２３ａの移動経路上に設けられており、リブ２３ａが＋Ｘ方向に移動した際に、リブ２３ａと係合される高さまで伸長している。したがって、爪部３２は、レンズカバー２３の移動によって、リブ２３ａと接触することが可能な構成となっている。
【００３６】
また、連動レバー３０は、Ｘ方向に直線的に設けられた不図示の支持機構によって、Ｘ
方向に移動することが可能な構成となっている。
さらに、連動レバー３０は、図３（ｂ）において紙面左方向（−Ｘ方向）に付勢する不図示のバネ及び、レンズカバー２３が照明装置２２を覆う位置に移動した際に連動レバー３０の位置を固定する不図示の固定機構に接続される構成となっている。
【００３７】
したがって、上記構成の連動レバー３０は、レンズカバー２３の移動によってリブ２３ａが爪部３２と係合されて、又は、接続された不図示のバネの付勢によってＸ方向に移動することで、挟持部３１ａ，３１ｂが連結部材３３を介してＸ方向に移動され、挟持部３１ａ，３１ｂに挟持されたマクロスイッチ２１ｂを通常位置Ｍ１とマクロ位置Ｍ２とに移動させることができる構成となっている。
【００３８】
続いて、上記構成のＰＨＳ端末Ａにおいて、レンズカバー２３の移動に連動したカメラ装置２１の撮影モードの切り替え動作について図４及び図５を参照して詳しく説明する。
図４（ａ）〜（ｃ）は、折りたたまれたＰＨＳ端末Ａの操作側本体２の背面の示す平面図であって、レンズカバー２３が順次、＋Ｘ方向（紙面右方向）に移動していく図である。
図５（ａ）〜（ｃ）は、図４におけるレンズカバー２３の移動に対応した連動レバー３０の動作を示す模式図である。
【００３９】
ユーザーがＰＨＳ端末Ａのカメラ機能を使用しない場合、図４（ａ）に示すように、レンズカバー２３は、凹部１０の左端に位置しており、カメラ装置２１（つまり、撮影用レンズ２１ａ）を覆っている。そうすることで、レンズカバー２３は、外部から受ける傷や、衝撃等からカメラ装置２１の撮影用レンズ２１ａを保護することができる。
このとき、図５（ａ）に示すように、レンズカバー２３のリブ２３ａは、レンズカバー２３がカメラ装置２１が設けられた側に位置しているため、連動レバー３０の爪部３２と接触することは無い。したがって、連動レバー３０は、不図示のバネの弾性力によって−Ｘ方向に付勢されており、挟持部３１ａ，３１ｂに挟持されたマクロスイッチ２１ｂを通常位置Ｍ１に位置させることとなる。つまり、カメラ装置２１は、カメラ機能を使用しない場合、通常撮影モードで待機している。
なお、照明装置２２は、カメラ機能を使用しないため、非作動である。
【００４０】
次に、ＰＨＳ端末Ａのカメラ機能を使用して通常撮影モードで被写体を撮影する場合では、ユーザーは、図４（ｂ）に示すように、レンズカバー２３をスライドさせて凹部１０の略中央部に位置させて、カメラ装置２１の撮影用レンズ２１ａを外部に露出させる。
このとき、図５（ｂ）に示すように、レンズカバー２３のリブ２３ａは、レンズカバー２３が凹部１０の略中央部に位置しているため、まだ連動レバー３０の爪部３２と接触することは無い。したがって、連動レバー３０は、上記カメラ機能を使用しない場合と同様に、マクロスイッチ２１ｂを通常位置Ｍ１に位置させることとなり、カメラ装置２１を通常撮影モードに設定させることとなる。
【００４１】
ユーザーは、カメラ装置２１の撮影用レンズ２１ａを露出させた後、図２に示すように、操作部８を操作して制御部１２に操作指令を伝達し、操作指令を受けた制御部１２が通常撮影モードのカメラ装置２１及び照明装置２２を作動及び操作することで、被写体を通常撮影モードで撮影することができる。
なお、照明装置２２は、通常撮影モードで被写体を撮影する場合、制御部１２によって通常撮影モードに適した照度で被写体に光を照射するように調節されて、通常撮影モードの撮影に適した光で被写体を照らすことができる。
【００４２】
そして、ＰＨＳ端末Ａのカメラ機能を使用してマクロ撮影モードで近接して被写体を撮影する場合では、ユーザーは、図４（ｃ）に示すように、レンズカバー２３を図４（ｂ）の位置から更に＋Ｘ方向にスライドさせて、凹部１０の右端の照明装置２２を覆う位置に移動させる。
このとき、図５（ｃ）に示すように、レンズカバー２３のリブ２３ａは、連動レバー３０の爪部３２と係合して、爪部３２を＋Ｘ方向に押進させることとなる。
【００４３】
連動レバー３０は、爪部３２がリブ２３ａに押進されたことに伴って挟持部３１ａ，３１ｂが＋Ｘ方向に移動することで、カメラ装置２１のマクロスイッチ２１ｂをスライド溝２１ｃに沿って通常位置Ｍ１からマクロ位置Ｍ２へとスライドさせ、カメラ装置２１の撮影モードを通常撮影モードからマクロ撮影モードへと切り替えさせる。
このとき、連動レバー３０は、レンズカバー２３が上記マクロ撮影モードに切り替える位置にあるとき、不図示の固定機構によってロックされ、−Ｘ方向に付勢する不図示のバネの弾性力では、通常撮影モードに切り替える位置に戻ることは無い。
【００４４】
また、図４（ｃ）に示すように、照明装置２２は、集光レンズ２４が照明装置２２上に位置するため、照明装置２２が照射する光を集光させてマクロ撮影モードに適した照度で被写体を照らすことができる。さらに、図２に示す制御部１２が、カメラ装置２１からマクロ撮影モードへ移行したという情報を受け取り、照明装置２２にマクロ撮影モードに適した照度で光を照射するように調節させることによって、照明装置２２は、近接撮影において最適な照度で被写体を照らすことができる。
【００４５】
したがって、ユーザーは、図２に示す操作部８を操作して制御部１２に操作指令を伝達し、操作指令を受けた制御部１２がマクロ撮影モードのカメラ装置２１及び照明装置２２を操作することで、マクロ撮影モードで被写体に近接して撮影することができる。
【００４６】
なお、マクロ撮影モードから通常撮影モードに切り替えるときには、ユーザーがレンズカバー２３を照明装置２２を覆う位置から−Ｘ方向に動かすことによって不図示の固定機構のロックがはずされ、連動レバー３０は、不図示のバネの弾性力によって−Ｘ方向に移動されて、それに伴って移動する挟持部３１ａ，３１ｂによってマクロスイッチ２１ｂがマクロ位置Ｍ２から通常位置Ｍ１にスライドし、マクロ撮影モードから通常撮影モードに切り替えることができる。
【００４７】
したがって、上述の実施の形態によれば、撮影用レンズ２１ａと、撮影用レンズ２１ａを開放し又は覆うレンズカバー２３とを備えるカメラ部２０であって、レンズカバー２３が撮影用レンズ２１ａに対して移動することに連動して、撮影モードを第１モードと、第２モードとを切り替える連動レバー３０を有するという構成を採用することによって、マクロレバーよりも大きなレンズカバーを操作することにより、カメラ機能の撮影モードの設定を容易に切り替えることができる。
したがって、本実施形態では、操作性良くカメラ機能の撮影モードの切り替えが可能となる撮影装置を提供することができる。また、本実施形態では、レンズカバーと撮影モード切替えが兼用できるため、別途、マクロレバーを設ける必要は無くなり、撮影装置又は該撮影装置が設けられる携帯端末のスペースを有効に活用でき、且つ、コストダウンにも寄与できる効果がある。
【００４８】
また、本実施形態では、上記第１モードは、通常撮影モードであって、上記第２モードは、マクロ撮影モードであるという構成を採用することによって、レンズカバー２３の移動によって、通常撮影モードと、マクロ撮影モードとを切り替えることができる。
【００４９】
また、本実施形態では、被写体を照明する照明装置２２を備えており、照明装置２２は、切り替えられた上記撮影モードに連動して、照度を調節するという構成を採用することによって、切り替えられた撮影モードに適した照度で被写体を照らし、カメラ機能の撮影処理を補助することができる。
【００５０】
また、本実施形態では、レンズカバー２３は、光の分布を調整する集光レンズ２４を有しており、上記第１モードで照明装置２２を開放し、上記第２モードで集光レンズ２４により照明装置２２を覆うという構成を採用することによって、レンズカバー２３が第２モードで照明装置２２を覆うことで、レンズカバーに設けられた集光レンズ２４で照明装置２２から照射される光を受けとり、そして当該光を集光させることで光の分布を調整し、第２モードに適した照度で被写体を照らすことができる。
【００５１】
また、本実施形態では、レンズカバー２３は、光を透過する透明部材から構成されるという構成を採用することによって、レンズカバー２３の移動によって、照明装置の光をレンズカバーが遮ってしまうことを防止することができる。
【００５２】
また、本実施形態では、レンズカバー２３は、撮影用レンズ２１ａに対して直線移動するという構成を採用することによって、レンズカバー２３が直線移動することで、容易に操作することができる。
【００５３】
また、本実施形態では、カメラ部２０が設けられるＰＨＳ端末Ａを採用することによって、上記構成のカメラ部２０が設けられたＰＨＳ端末Ａが得られる。
【００５４】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００５５】
例えば、上記実施形態において、レンズカバー２３は、照明装置２２を覆う位置まで移動すると説明したが、本発明は上記構成に限定されるものではない。
例えば、レンズカバー２３は、図６（ａ）及び（ｂ）に示すように、照明装置２２を覆う位置から更にＸ方向に移動可能な構成となっており、凹部１０の側面に設けられたボタン４０をレンズカバー２３の側面で押下することにより、ボタン４０の押下を制御部１２が検出して、制御部１２によってカメラ装置２１の撮影モードをマクロ撮影モードから望遠撮影モードへと切り替えさせる構成であっても良い。したがって、レンズカバー２３の移動により、通常撮影モード及びマクロ撮影モードの切り替えだけでなく、望遠撮影モードに切り替えることができる。なお、望遠撮影モードに切り替えるだけでなく、別のカメラ撮影に関する処理を行わせる構成であっても良い。
【００５６】
また、上記実施形態において、レンズカバー２３は、光を集光させる両凸形状の集光レンズと説明したが、本発明は、上記構成に限定されるものではなく、例えば、平凸レンズや凹レンズ等であってもよい。また、光を拡散させる構成のレンズであってもよい。
【００５７】
また、上記実施形態において、レンズカバー２３は、直線移動すると説明したが、本発明は、直線移動に限定されずに、例えば、回転移動する構成であってもよい。
この場合、例えば、レンズカバー２３が任意の部位を欠いた円形状を有して、該円形状の中心を軸として回転可能な構成となっており、レンズカバー２３は、該軸を中心とした回転移動をすることで、カメラ装置２１及び照明装置２２を当該任意の部位から露出させ、又は、当該任意の部位以外で覆う構成であっても良い。
【００５８】
また、上記実施形態において、切替え装置は、連動レバー３０であると説明したが、本発明は、上記構成に限定されるものではなく、例えば、レンズカバー２３のリブ２３ａが電導性を有しており、レンズカバー２３の移動によって操作側筐体７内に設けられた基板と所定の位置で接触して電通することにより、制御部１２がカメラ装置２１の撮影モードを切り替える構成であっても良い。
【図面の簡単な説明】
【００５９】
【図１】本発明の実施の形態における携帯端末の背面及び正面の外観を示す斜視図である。
【図２】本発明の実施の形態における携帯端末の要部機能構成を示す機能ブロック図である。
【図３】本発明の実施の形態における携帯端末の線視Ｋ−Ｋ断面図及び線視Ｌ−Ｌ断面図である。
【図４】本発明の実施の形態におけるレンズカバーの移動を示す図である。
【図５】本発明の実施の形態における切替え装置のレンズカバーの移動に伴う撮影モードを切り替える動作を説明する図である。
【図６】本発明の別実施形態におけるレンズカバーの移動を示す図である。
【符号の説明】
【００６０】
８…操作部、１０…凹部、１２…制御部、２０…カメラ部（撮影装置）、２１…カメラ装置、２１ａ…撮影用レンズ、２１ｂ…マクロスイッチ、２１ｃ…スライド溝、２２…照明装置、２３…レンズカバー、２３ａ…リブ（レンズカバーのリブ）、２４…集光レンズ（調整レンズ）、３０…連動レバー（切替え装置）、３１ａ，３１ｂ…挟持部、３２…爪部、３３…連結部材、４０…ボタン、Ａ…ＰＨＳ端末（携帯端末）、Ｍ１…通常位置、Ｍ２…マクロ位置
【図１】
2009060269.tif 000003
【図２】
2009060269.tif 000004
【図３】
2009060269.tif 000005
【図４】
2009060269.tif 000006
【図５】
2009060269.tif 000007
【図６】
2009060269.tif 000008